(57)【要約】【課題】ＲＬＣ／ＭＡＣコントロールメッセージに対する処理内容を外部からのコマンド入力により編集可能に取り扱え、処理内容に拡張性を持たせる。【解決手段】制御端末４の返信設定処理部４ａは、ＲＬＣ／ＭＡＣコントロールメッセージに対する処理内容を編集設定する。制御端末４は、移動機２から受信したＲＬＣ／ＭＡＣコントロールメッセージをそのままシミュレータを通過させるスルーモードと、移動機２から受信したＲＬＣ／ＭＡＣコントロールメッセージをシミュレータ３内の処理部で３ＧＰＰ規格に記述された内容で処理を行うオートモードの何れかのモード設定コマンドをシミュレータ３に送信する。スルーモード時には、移動機２からシミュレータ３を介してそのまま受信するＲＬＣ／ＭＡＣコントロールメッセージに対して返信設定処理部４ａで設定された処理内容で処理を行って移動機２に返信する。【選択図】      図４
2004289395.tif 000002
【特許請求の範囲】
【請求項１】
ＧＰＲＳシステム（１）における移動機（２）の各種試験に用いられるＧＰＲＳ用シミュレータ（３）であって、
前記移動機から受信したＲＬＣ／ＭＡＣコントロールメッセージをそのまま外部の制御端末に送信し該制御端末から予め設定された処理内容で処理させるモードと、前記移動機から受信したＲＬＣ／ＭＡＣコントロールメッセージを自身の処理部（３ｂ）で３ＧＰＰ規格に記述されＧＰＲＳシステムで定義された動作内容で処理を行うモードとが前記制御端末からのモード設定コマンドにより選択的に切り替えられることを特徴とするＧＰＲＳ用シミュレータ。
【請求項２】
所定のＲＬＣ／ＭＡＣコントロールメッセージを送信する移動機（２）と、
該移動機から送信されるＲＬＣ／ＭＡＣコントロールメッセージを受信したときに、この受信したＲＬＣ／ＭＡＣコントロールメッセージの内容に応じた処理を実行するＧＰＲＳ用シミュレータ（３）と、
該ＧＰＲＳ用シミュレータに接続され、前記ＲＬＣ／ＭＡＣコントロールメッセージに対する処理内容を設定して処理する返信設定処理部（４ａ）を有し、前記移動機から受信したＲＬＣ／ＭＡＣコントロールメッセージをそのままＧＰＲＳ用シミュレータを通過させるスルーモードと、前記移動機から受信したＲＬＣ／ＭＡＣコントロールメッセージを前記ＧＰＲＳ用シミュレータ内の処理部（３ｂ）で３ＧＰＰ規格に記述されＧＰＲＳシステムで定義された動作内容で処理を行うオートモードとを選択的に切り替えるモード設定コマンドを前記ＧＰＲＳ用シミュレータに送信する制御端末（４）とを備え、
該制御端末は、前記ＧＰＲＳ用シミュレータにスルーモードのモード設定コマンドを送信したときに、前記移動機から前記ＧＰＲＳ用シミュレータを介してそのまま受信するＲＬＣ／ＭＡＣコントロールメッセージに対して前記返信設定処理部で設定された処理内容で処理を行って前記移動機に返信することを特徴とするＧＰＲＳシステム。
【発明の詳細な説明】
【０００１】
【発明の属する技術分野】
本発明は、ＧＰＲＳ（汎用パケット無線サービス（Ｇｅｎｅｒａｌ  Ｐａｋｅｔ  Ｒａｄｉｏ  Ｓｅｒｖｉｃｅ  ））における移動機の各種試験を行う際に用いられるＧＰＲＳ用シミュレータ及びＧＰＲＳシステムに関する。
【０００２】
【従来の技術】
３ＧＰＰ（３ｒｄ  Ｇｅｎｅｒａｔｉｏｎ  Ｐａｒｔｎｅｒｓｈｉｐ  Ｐｒｏｊｅｃｔ）規格には、ＧＰＲＳシステムの動作が規定されている（ｈｔｔｐ：／／ｗｗｗ．３ｇｐｐ．ｏｒｇ／Ａｂｏｕｔ／ａｂｏｕｔ．ｈｔｍ  又はｈｔｔｐ：／／ｗｗｗ．３ｇｐｐ．ｏｒｇ／ｓｐｅｃｓ／ｓｐｅｃｓ．ｈｔｍ  参照）。具体的に、ＧＰＲＳは、ＧＳＭシステムの新しいサービスであり、３ＧＰＰのＧＳＭフェーズ２以降の標準化の対象となっている。このＧＰＲＳの動作環境は、ＧＰＲＳバックボーンネットワークによって相互に連結された１もしくは１よりも多数のサブネットワークサービスエリアを備える。サブネットワークは、ＧＰＲＳサポートノード（もしくはエージェント）と称する複数のパケットデータサービスノードを備えている。これら複数のパケットデータサービスノードは、各々複数の基地局を介して、パケットデータサービスを移動機（移動体データ端末機器、移動局を含む）に提供できるようになっている。このため、セルであるＧＳＭ移動体ネットワークに接続される。中間の移動体ネットワークは、サポートノードと移動体データ端末機器との間に回線交換もしくはパケット交換データ伝送を提供している。ここのサブネットワークは、例えばＰＳＰＤＮ（公衆交換パケットデータ網（Ｐｕｂｌｉｃ  Ｓｗｉｔｃｈｅｄ  Ｐａｃｋｅｔ  Ｄａｔａ  Ｎｅｔｗｏｒｋ  ））といった外部データネットワークに接続される。これにより、ＧＰＲＳサービスは、インターフェースネットワークとしてのＧＳＭネットワーク機能として、移動体データ端末機器と外部データネットワークとの間にパケットデータ伝送を提供することができる。
【０００３】
図１１は上述したＧＰＳＲネットワークの一般的な装置の例を示している。移動体データ端末としての一般的な移動局の機能は、移動体ネットワークの移動局ＭＳ、及びデータインターフェースを介して移動局ＭＳに接続された携帯パーソナルコンピュータＰＣを含んでいる。移動局は、ＰＣアプリケーションによって使用されるプロトコルをサポートするダイレクトインターフェースポイントを任意に提供することができる。なお、移動局ＭＳ及び携帯パーソナルコンピュータＰＣを単一の構成要素に統合し、その中で、アプリケーションソフトウェアは、それが使用するプロトコルをサポートするインターフェースポイントを提供することも可能である。ネットワーク要素ＢＳＣ及びＭＳＣは、一般的なＧＳＭネットワークで既知である。
【０００４】
図１１の例では、ＧＰＲＳサービスの別個のサービングＧＰＲＳサポートノード（ＳＧＳＮ）を備えている。サポートノードは、ネットワークにおいて、あるパケット無線サービス動作を実施する。このような動作には、システム内及びシステム外の移動局ＭＳの登録、移動局ＭＳのルーティングエリアの更新、正しい目的地へのデータパケット（例えばデジタル形式にエンコードされた音声、コンピュータ相互間のデータトラフィック、テレファックスデータ、ショートプログラムコードシーケンス等のデジタル電気通信システムにおいて伝送される全ての情報）のルーティングが含まれる。ＳＧＳＮノードは、基地局ＢＴＳ、基地局コントローラＢＳＣ、もしくは移動交換センタＭＳＣに配置することができる。
【０００５】
なお、ＳＧＳＮノードは、全ての要素とは独立して配置することもできる。ＳＧＳＮノードと基地局コントローラＢＳＣとの間のインターフェースは、Ｇｂインターフェースと称される。また、１つの基地局コントローラＢＳＣによって制御されるエリアは、基地局サブシステム（ＢＳＳ）と称される。そして、移動局ＭＳからネットワークへの方向をアップリンクといい、その反対方向をダウンリンクという。
この出願の発明に関連する先行技術文献情報としては下記のものがある。
【０００６】
【特許文献１】
特表２０００−５１１７５３号公報
【０００７】
ところで、上述した図１１に示すＧＰＳＲネットワークの基地局サブシステム（ＢＳＳ）に成り代わって擬似的に基地局を構成し、実際にパケット通信を行うに際して、移動局ＭＳの各種試験を行うＧＰＲＳ用シミュレータが知られている。従来、この種のＧＰＲＳ用シミュレータは、外部の制御端末に接続されて擬似的に基地局を構成し、試験対象となる移動機から送信されるＲＬＣ（Ｒａｄｉｏ  Ｌｉｎｋ  Ｃｏｎｔｒｏｌ）／ＭＡＣ（Ｍｅｄｉａ  Ａｃｃｅｓｓ  Ｃｏｎｔｒｏｌ）コントロールメッセージなどの各種メッセージやパケットデータを受信し、ＯＳＩ（ｏｐｅｎ  ｓｙｓｔｅｍｓ  ｉｎｔｅｒｃｏｎｎｅｃｔｉｏｎ）基本参照モデルのレイヤ１（物理層）やレイヤ２（データリンク層）に関する処理を実行し、移動機の各種試験を行っている。また、ＧＰＲＳ用シミュレータに接続される制御端末では、ＯＳＩ基本参照モデルのレイヤ３（ネットワーク層）以上の処理を実行している。
【０００８】
さらに説明すると、このＧＰＲＳ用シミュレータでは、正常系の動作試験として、図５に示すように、移動機からパケットチャネル割り当て要求があると、移動機に対して上りパケットリソース割り当てを返信する。そして、移動機は、上りパケットリソース割り当ての返信を受けると、上りパケットデータを送信する。この上りパケットデータを受信すると、上りパケットデータ受信確認を返信する。
【０００９】
【発明が解決しようとする課題】
ところで、上述した従来のＧＰＲＳ用シミュレータでは、移動機から送信されるＲＬＣ／ＭＡＣコントロールメッセージを受信した場合、この受信したＲＬＣ／ＭＡＣコントロールメッセージを３ＧＰＰ規格に記述された内容で処理して移動機にＲＬＣ／ＭＡＣコントロールメッセージを返信していた。このため、従来のＧＰＲＳ用シミュレータでは、移動機から送信されるＲＬＣ／ＭＡＣコントロールメッセージに対し、決められた固定の処理を行ってＲＬＣ／ＭＡＣコントロールメッセージを返信することしかできなかった。従って、ＲＬＣ／ＭＡＣコントロールメッセージに対する処理内容に自由が効かなかった。しかも、ＧＰＲＳ用シミュレータに接続される外部の制御端末は、レイヤ３以上の処理を行うため、下位レイヤであるＲＬＣ／ＭＡＣコントロールメッセージに対する処理を直接取り扱うことができなかった。
【００１０】
そして、従来のＧＰＲＳ用シミュレータは、移動機を接続しようとするときに接続できるように正常動作することを前提としているので、移動機の正常系の試験を行うことはできるが、ＲＬＣ／ＭＡＣコントロールメッセージの内容を変えて準正常系の試験や異常系の試験を行うことができなかった。
【００１１】
そこで、本発明は上述した課題に鑑みてなされたものであって、移動機からのＲＬＣ／ＭＡＣコントロールメッセージに対する処理内容を外部からのコマンド入力により編集可能とすることにより、ＲＬＣ／ＭＡＣコントロールメッセージに対する処理内容に拡張性を持たせることができるＧＰＲＳ用シミュレータ及びＧＰＲＳシステムを提供することを目的とする。
【００１２】
【課題を解決するための手段】
次に、上記の課題を解決するための手段を、実施の形態に対応する図面を参照して説明する。
請求項１記載のＧＰＲＳ用シミュレータは、ＧＰＲＳシステム１における移動機２の各種試験に用いられるＧＰＲＳ用シミュレータ３であって、
前記移動機から受信したＲＬＣ／ＭＡＣコントロールメッセージをそのまま外部の制御端末に送信し該制御端末から予め設定された処理内容で処理させるモードと、前記移動機から受信したＲＬＣ／ＭＡＣコントロールメッセージを自身の処理部３ｂで３ＧＰＰ規格に記述されＧＰＲＳシステムで定義された動作内容で処理を行うモードとが前記制御端末からのモード設定コマンドにより選択的に切り替えられることを特徴とする。
【００１３】
請求項２記載のＧＰＲＳシステムは、所定のＲＬＣ／ＭＡＣコントロールメッセージを送信する移動機２と、
該移動機から送信されるＲＬＣ／ＭＡＣコントロールメッセージを受信したときに、この受信したＲＬＣ／ＭＡＣコントロールメッセージの内容に応じた処理を実行するＧＰＲＳ用シミュレータ３と、
該ＧＰＲＳ用シミュレータに接続され、前記ＲＬＣ／ＭＡＣコントロールメッセージに対する処理内容を設定して処理する返信設定処理部４ａを有し、前記移動機から受信したＲＬＣ／ＭＡＣコントロールメッセージをそのままＧＰＲＳ用シミュレータを通過させるスルーモードと、前記移動機から受信したＲＬＣ／ＭＡＣコントロールメッセージを前記ＧＰＲＳ用シミュレータ内の処理部３ｂで３ＧＰＰ規格に記述されＧＰＲＳシステムで定義された動作内容で処理を行うオートモードとを選択的に切り替えるモード設定コマンドを前記ＧＰＲＳ用シミュレータに送信する制御端末４とを備え、
該制御端末は、前記ＧＰＲＳ用シミュレータにスルーモードのモード設定コマンドを送信したときに、前記移動機から前記ＧＰＲＳ用シミュレータを介してそのまま受信するＲＬＣ／ＭＡＣコントロールメッセージに対して前記返信設定処理部で設定された処理内容で処理を行って前記移動機に返信することを特徴とする。
【００１４】
【発明の実施の形態】
以下、本発明に係るＧＰＲＳ用シミュレータ及びＧＰＲＳシステムの好適な実施の形態を図面を参照して詳細に説明する。
【００１５】
図１は本発明に係るＧＰＲＳ用シミュレータを含むＧＰＲＳシステムの概略構成を示すブロック図、図２（ａ），（ｂ）は本発明に係るＧＰＲＳシステムで使用されるＲＬＣ／ＭＡＣコントロールメッセージのフォーマット図、図３は本発明に係るＧＰＲＳシステムにおけるオートモード時の動作シーケンスを示す図、図４は本発明に係るＧＰＲＳシステムにおけるスルーモード時の動作シーケンスを示す図である。
【００１６】
図１に示すように、本実施の形態によるＧＰＲＳシステム１は、移動局をなすＧＰＲＳ移動機（以下、移動機と略称する）２を試験対象とし、擬似的に基地局を形成するＧＰＲＳ用シミュレータ（以下、シミュレータと略称する）３及び外部の制御端末４を備えて概略構成される。
【００１７】
移動機２は、シミュレータ３との間で通信接続可能とされ、ＲＬＣ／ＭＡＣコントロールメッセージを含む各種メッセージ及びパケットデータをシミュレータ３に送信している。
【００１８】
ここで、ＲＬＣ／ＭＡＣコントロールメッセージは、図２（ａ），（ｂ）に示すようなフォーマット構成となっている。図２（ａ）は移動機２からシミュレータ３方向（アップリンク）に送信されるＲＬＣ／ＭＡＣコントロールメッセージのフォーマットを示している。また、図２（ｂ）はシミュレータ３（又は制御端末４）から移動機２方向（ダウンリンク）に送信されるＲＬＣ／ＭＡＣコントロールメッセージのフォーマットを示している。
【００１９】
図２（ａ），（ｂ）に示すように、ＲＬＣ／ＭＡＣコントロールメッセージは、ＭＡＣヘッダと複数のオクテットからなり、オクテットの部分にコントロールメッセージが書き込まれる。
【００２０】
シミュレータ３は、移動機２と制御端末４との間に配置され、制御端末４からの操作によって制御されるものであり、移動機２から送信されるＲＬＣ／ＭＡＣコントロールメッセージを含む各種メッセージ及びパケットデータを受信している。図１に示すように、このシミュレータ３は、第１処理部（ＰＨＹ部）３ａと第２処理部（ＲＬＣ／ＭＡＣ部）３ｂを備えている。第１処理部３ａは、ＯＳＩ（ｏｐｅｎ  ｓｙｓｔｅｍｓ  ｉｎｔｅｒｃｏｎｎｅｃｔｉｏｎ）基本参照モデルのレイヤ１（物理層）に関する処理として、例えば変復調等の無線送受信系の処理や誤り訂正を含む符号化処理等を行っている。
【００２１】
第２処理部３ｂは、ＯＳＩ基本参照モデルのレイヤ２（データリンク層）に関する処理として、例えばデータをレイヤで規定されているサイズに編集する等のデータのやり取り時のデータの編集や分割の処理、メッセージの解析、リソース資源の割り当て、メッセージの再送制御等の処理を行っている。また、第２処理部３ｂには、ユーザの操作により制御端末４から２種類のモード（オートモード、スルーモード）の何れかのモードを示すモード指定コマンドが入力される。
【００２２】
第２処理部３ｂは、制御端末４からモード指定コマンドが入力されると、そのモード指定コマンドがオートモードかスルーモードの何れのモードを示すものか判断している。そして、第２処理部３ｂは、モード指定コマンドがオートモードと判断したとき、移動機２から受信したＲＬＣ／ＭＡＣコントロールメッセージに対して３ＧＰＰ規格に記述されＧＰＲＳシステムで定義された動作内容の処理を行って移動機２に図２（ｂ）に示すフォーマット構成のＲＬＣ／ＭＡＣコントロールメッセージを返信している。これに対し、第２処理部３ｂは、モード指定コマンドがスルーモードと判断したときには、移動機２から受信したＲＬＣ／ＭＡＣコントロールメッセージに対する処理を行わず、そのままＲＬＣ／ＭＡＣコントロールメッセージを制御端末４に送信している。
【００２３】
制御端末４は、予め設定されたシナリオを処理する返信設定処理部４ａを有し、シミュレータ３と接続され、シミュレータ３からそのまま送られてくるＲＬＣ／ＭＡＣコントロールメッセージの処理を含め、ＯＳＩ基本参照モデルのレイヤ３（ネットワーク層）以上の処理を行っている。返信設定処理部４ａでは、移動機２からシミュレータ３を介してそのまま送信されるＲＬＣ／ＭＡＣコントロールメッセージに対する返信内容をユーザの操作により任意に設定編集できるようになっている。
【００２４】
制御端末４は、ユーザの操作によりシミュレータ３の第２処理部３ｂにモード指定コマンドを送信している。このモード指定コマンドは、オートモードとスルーモードの２種類からなる。オートモードは、移動機２から受信したＲＬＣ／ＭＡＣコントロールメッセージに対して３ＧＰＰ規格に記述されＧＰＲＳシステムで定義された動作内容の処理をシミュレータ３の第２処理部３ｂ内で行うモードである。スルーモードは、移動機２から受信したＲＬＣ／ＭＡＣコントロールメッセージに対する処理を行わずそのままＲＬＣ／ＭＡＣコントロールメッセージを制御端末４に送信し、返信設定処理部４ａに設定された内容の処理を行うモードである。
【００２５】
なお、本例のＧＰＲＳシステム１では、デフォルトの状態でオートモードが設定されている。また、制御端末４の表示画面には、移動機２との間における通信の進行状況が表示されるようになっている。
【００２６】
次に、上記のように構成されるＧＰＲＳシステム１の動作について図３及び図４を参照しながら説明する。
【００２７】
まず、移動機２からのＲＬＣ／ＭＡＣコントロールメッセージに対する返信内容のシナリオを編集して制御端末４の返信設定処理部４ａに予め設定して書き込んでおく。すなわち、スルーモード時に、移動機２からシミュレータ３を介してそのまま送られてくるＲＬＣ／ＭＡＣコントロールメッセージに対し、どのような処理を行うか、その処理内容について編集して設定する。
【００２８】
そして、ユーザの操作によりオートモードを示すモード指定コマンドが制御端末４からシミュレータ３の第２処理部３ｂに入力されると、図３に示すオートモードによる処理が実行される。このオートモードは、従来通りの処理であり、図３に示すように、移動機２からＲＬＣ／ＭＡＣコントロールメッセージが送信されると、このＲＬＣ／ＭＡＣコントロールメッセージがシミュレータ３の第１処理部３ａを介して第２処理部３ｂに受信される。第２処理部３ｂでは、受信したＲＬＣ／ＭＡＣコントロールメッセージを３ＧＰＰ規格に記述された内容で処理を行って移動機２に返信する。
【００２９】
これに対し、ユーザの操作によりスルーモードを示すモード指定コマンドが制御端末４からシミュレータ３の第２処理部３ｂに入力されると、図４に示すスルーモードによる処理が実行される。このスルーモードでは、図４に示すように、移動機２から受信したＲＬＣ／ＭＡＣコントロールメッセージがシミュレータ３の第１処理部３ａ及び第２処理部３ｂをスルーしてそのまま制御端末４に送信される。そして、制御端末４では、シミュレータ３をスルーしてＲＬＣ／ＭＡＣコントロールメッセージが入力されると、そのＲＬＣ／ＭＡＣコントロールメッセージに対して予め返信設定処理部４ａで設定された内容の処理を行い、その処理結果をシミュレータ３を介して移動機２に返信する。
【００３０】
ここで、図５は本例のＧＰＲＳシステム１における上りパケットデータ転送時の正常系の試験を行う際の全体の流れを示している。
【００３１】
図５において、移動局は移動機２に該当し、基地局はシミュレータ３及び制御端末４に該当する。図５に示すように、基地局は、移動局からパケットチャネル割り当て要求があると、移動局に対して上りパケットリソース割り当てを返信する。次に、移動局は、基地局から上りパケットリソース割り当ての返信を受けると、上りパケットデータを基地局に送信する。そして、基地局は、この上りパケットデータを受信すると、上りパケットデータ受信確認を移動局に返信する。
【００３２】
次に、本例のＧＰＲＳシステム１の具体的な動作（図５の一点鎖線で囲まれた部分の動作に相当）について図６から図１０に基づいて説明する。まず、移動機の正常系（データ通信が成功する基本シーケンス）の試験を行う場合の動作について図６を参照しながら説明する。
【００３３】
この移動機の正常系の試験を行う場合には、オートモードの処理が実行される。制御端末４からシミュレータ３にオートモードのモード指定コマンドが送出されると、シミュレータ３は受信したモード指定コマンドにより現在のモードをオートモードに切り替える。そして、オートモードが指定された状態で、ＲＬＣ／ＭＡＣコントロールメッセージとして、移動機２からＰａｃｋｅｔ  Ｃｈａｎｎｅｌ  Ｒｅｑｕｅｓｔ（パケットチャネルの割り当てを要求するメッセージ）が送信されると、このＰａｃｋｅｔ  Ｃｈａｎｎｅｌ  Ｒｅｑｕｅｓｔをシミュレータ３の第２処理部３ｂが受信する。そして、第２処理部３ｂは、受信したＰａｃｋｅｔ  Ｃｈａｎｎｅｌ  Ｒｅｑｕｅｓｔに対してＰａｃｋｅｔ  Ｕｐｌｉｎｋ  Ａｓｓｉｇｎｍｅｎｔ（パケット上りリソース割り当てを通知するメッセージ）を返信する。移動機は、Ｐａｃｋｅｔ  Ｕｐｌｉｎｋ  Ａｓｓｉｇｎｍｅｎｔを受信すると、シミュレータ３にパケットデータを転送する。そして、シミュレータ３の第２処理部３ｂは、移動機２から転送されるパケットデータを受信すると、その受信状況に応じてＰａｃｋｅｔ  Ｕｐｌｉｎｋ  Ａｃｋ／Ｎａｃｋ（パケット上りデータの受信確認の良否を通知するメッセージ）を移動機２に返信する。
【００３４】
次に、移動機の準正常系（正常系とは違う何らかの手順を踏むが最終的には正常にデータ通信が終了するシーケンス）の試験を行う場合の動作として、図７及び図８を参照しながら２つの例について説明する。
【００３５】
まず、スルーモード時に、移動機２からシミュレータ３を介してそのまま送られてくるＲＬＣ／ＭＡＣコントロールメッセージに対し、どのような処理を行って移動機２に返信するか、その処理内容について編集して設定しておく。図７の例では、ＲＬＣ／ＭＡＣコントロールメッセージとして、Ｐａｃｋｅｔ  Ｃｈａｎｎｅｌ  Ｒｅｑｕｅｓｔ（パケットチャネルの割り当てを要求するメッセージ）が送られてきたときに、Ｐａｃｋｅｔ  Ｑｕｅｕｉｎｇ  Ｎｏｔｉｆｉｃａｔｉｏｎ  （Ｐａｃｋｅｔ  Ｃｈａｎｎｅｌ  Ｒｅｑｕｅｓｔを受けたが移動機に待機してもらうメッセージ）を返信するように処理内容が返信設定処理部４ａにより設定される。
【００３６】
上記設定を終えた状態で、制御端末４からシミュレータ３にスルーモードのモード指定コマンドが送出されると、シミュレータ３は受信したモード指定コマンドにより現在のモードをスルーモードに切り替える。そして、スルーモードが指定された状態で、ＲＬＣ／ＭＡＣコントロールメッセージとして、移動機２からＰａｃｋｅｔ  Ｃｈａｎｎｅｌ  Ｒｅｑｕｅｓｔが送信されると、このＰａｃｋｅｔ  Ｃｈａｎｎｅｌ  Ｒｅｑｕｅｓｔはシミュレータ３を通過して制御端末４に送信される。制御端末４は、シミュレータ３を通過したＰａｃｋｅｔ  Ｃｈａｎｎｅｌ  Ｒｅｑｕｅｓｔを受信すると、返信設定処理部４ａにより予め設定されたＰａｃｋｅｔ  Ｑｕｅｕｉｎｇ  Ｎｏｔｉｆｉｃａｔｉｏｎ  をシミュレータ３を介して移動機２に返信する。移動機２は、制御端末４からＰａｃｋｅｔ  Ｑｕｅｕｉｎｇ  Ｎｏｔｉｆｉｃａｔｉｏｎ  を受信すると、そのまま待機状態になる。その後、制御端末４からＰａｃｋｅｔ  Ｕｐｌｉｎｋ  Ａｓｓｉｇｎｍｅｎｔ（パケット上りリソース割り当てを通知するメッセージ）がシミュレータ３を介して移動機２に返信される。続いて、制御端末４からシミュレータ３にオートモードのモード指定コマンドが送出されると、シミュレータ３は受信したモード指定コマンドにより現在のモードをオートモードに変更する。その後、移動機２は、制御端末４からのＰａｃｋｅｔ  Ｕｐｌｉｎｋ  Ａｓｓｉｇｎｍｅｎｔを受信すると、シミュレータ３にパケットデータを転送する。そして、シミュレータ３の第２処理部３ｂは、移動機２から転送されるパケットデータを受信すると、その受信状況に応じてＰａｃｋｅｔ  Ｕｐｌｉｎｋ  Ａｃｋ／Ｎａｃｋ（パケット上りデータの受信確認の良否を通知するメッセージ）を移動機２に返信する。この図７に示す処理によれば、Ｐａｃｋｅｔ  Ｑｕｅｕｉｎｇ  Ｎｏｔｉｆｉｃａｔｉｏｎ  を返信したときの移動機の動作を試験することができる。
【００３７】
次に、図８の例では、ＲＬＣ／ＭＡＣコントロールメッセージとして、Ｐａｃｋｅｔ  Ｃｈａｎｎｅｌ  Ｒｅｑｕｅｓｔ（パケットチャネルの割り当てを要求するメッセージ）が送られてきたときに、Ｐａｃｋｅｔ  Ａｃｃｅｓｓ  Ｒｅｊｅｃｔ（チャネル要求を拒否するメッセージ）を返信するように処理内容が返信設定処理部４ａにより設定される。
【００３８】
上記設定を終えた状態で、制御端末４からシミュレータ３にスルーモードのモード指定コマンドが送出されると、シミュレータ３は受信したモード指定コマンドにより現在のモードをスルーモードに切り替える。そして、スルーモードが指定された状態で、ＲＬＣ／ＭＡＣコントロールメッセージとして、移動機２からＰａｃｋｅｔ  Ｃｈａｎｎｅｌ  Ｒｅｑｕｅｓｔが送信されると、このＰａｃｋｅｔ  Ｃｈａｎｎｅｌ  Ｒｅｑｕｅｓｔはシミュレータ３を通過して制御端末４に送信される。制御端末４は、シミュレータ３を通過したＰａｃｋｅｔ  Ｃｈａｎｎｅｌ  Ｒｅｑｕｅｓｔを受信すると、返信設定処理部４ａにより予め設定されたＰａｃｋｅｔ  Ａｃｃｅｓｓ  Ｒｅｊｅｃｔをシミュレータ３を介して移動機２に返信する。この図８に示す処理によれば、Ｐａｃｋｅｔ  Ａｃｃｅｓｓ  Ｒｅｊｅｃｔによりチャネル要求が拒否されたときの移動機２の動作を試験することができる。
【００３９】
次に、移動機の異常系（異常終了で終わり、データ通信が正常に終了しないシーケンス）の試験を行う場合の動作として、図９及び図１０を参照しながら２つの例について説明する。
【００４０】
まず、スルーモード時に、移動機２からシミュレータ３を介してそのまま送られてくるＲＬＣ／ＭＡＣコントロールメッセージに対し、どのような処理を行って移動機２に返信するか、その処理内容について編集して設定しておく。図９の例では、ＲＬＣ／ＭＡＣコントロールメッセージとして、Ｐａｃｋｅｔ  Ｃｈａｎｎｅｌ  Ｒｅｑｕｅｓｔ（パケットチャネルの割り当てを要求するメッセージ）が送られてきたときに、内容が構文エラーのコントロールメッセージを返信するように処理内容が返信設定処理部４ａにより設定される。
【００４１】
上記設定を終えた状態で、制御端末４からシミュレータ３にスルーモードのモード指定コマンドが送出されると、シミュレータ３は受信したモード指定コマンドにより現在のモードをスルーモードに切り替える。そして、スルーモードが指定された状態で、ＲＬＣ／ＭＡＣコントロールメッセージとして、移動機２からＰａｃｋｅｔ  Ｃｈａｎｎｅｌ  Ｒｅｑｕｅｓｔが送信されると、このＰａｃｋｅｔ  Ｃｈａｎｎｅｌ  Ｒｅｑｕｅｓｔはシミュレータ３を通過して制御端末４に送信される。制御端末４は、シミュレータ３を通過したＰａｃｋｅｔ  Ｃｈａｎｎｅｌ  Ｒｅｑｕｅｓｔを受信すると、返信設定処理部４ａにより予め設定された内容が構文エラーのコントロールメッセージをシミュレータ３を介して移動機２に返信する。この図９に示す処理によれば、内容が構文エラーのコントロールメッセージを移動機２が受信したときの動作を試験することができる。
【００４２】
次に、図１０の例では、ＲＬＣ／ＭＡＣコントロールメッセージとして、Ｐａｃｋｅｔ  Ｃｈａｎｎｅｌ  Ｒｅｑｕｅｓｔ（パケットチャネルの割り当てを要求するメッセージ）が送られてきたときに、応答しないように処理内容が返信設定処理部４ａにより設定される。
【００４３】
上記設定を終えた状態で、制御端末４からシミュレータ３にスルーモードのモード指定コマンドが送出されると、シミュレータ３は受信したモード指定コマンドにより現在のモードをスルーモードに切り替える。そして、スルーモードが指定された状態で、ＲＬＣ／ＭＡＣコントロールメッセージとして、移動機２からＰａｃｋｅｔ  Ｃｈａｎｎｅｌ  Ｒｅｑｕｅｓｔが送信されると、このＰａｃｋｅｔ  Ｃｈａｎｎｅｌ  Ｒｅｑｕｅｓｔはシミュレータ３を通過して制御端末４に送信される。制御端末４は、シミュレータ３を通過したＰａｃｋｅｔ  Ｃｈａｎｎｅｌ  Ｒｅｑｕｅｓｔを受信すると、返信設定処理部４ａにより予め設定された内容、すなわち移動機２に返信しない処理がなされる。この図１０に示す処理によれば、制御端末４（基地局）が無応答のときの処理を試験することができる。
【００４４】
このように、本例のＧＰＲＳシステムでは、ＲＬＣ／ＭＡＣレイヤの処理モードとしてオートモードとスルーモードの２種類のモードを持っている。そして、上位レイヤの試験時はスループットを向上させるためにオートモードに設定し、ＲＬＣ／ＭＡＣレイヤの試験時にはユーザが編集可能な返信設定処理部４ａ内にＲＬＣ／ＭＡＣの処理を記述するスルーモードに設定する。これにより、両者の試験に一台のシミュレータで対応でき、テスト対象を拡張することができる。
【００４５】
また、従来、シミュレータ内の処理部でしか取り扱えないＲＬＣ／ＭＡＣレイヤのメッセージを外部の制御端末でも取り扱うことができ、レイヤ３以上の処理だけではなく、スルーモード時にＲＬＣ／ＭＡＣレイヤ（ＲＬＣ／ＭＡＣコントロールメッセージに対する返信メッセージ）の処理までもユーザに開放して制御端末で処理することができる。従って、事前に返信設定処理部４ａ内にＲＬＣ／ＭＡＣコントロールメッセージに対する処理内容を自由に書き込んでおけば、移動機の各種所望の試験を行うことができ、処理内容に拡張性を持たせることができる。
【００４６】
具体的に、移動機から送信されるＲＬＣ／ＭＡＣコントロールメッセージに対する処理内容を制御端末の返信設定処理部により予め編集して設定しておけば、制御端末からのモード指定コマンドの送出により、移動機からのチャネル割り当て要求に対しリソース割り当て通知を行って移動機の正常系の試験を行うだけでなく、図７乃至図１０に示すような準正常系又は異常系の試験も行うことができる。これにより、移動機を多方面から試験し、その性能を評価することができる。また、移動機の正常系の試験を行うのは前述のオートモードだけでなく、スルーモードで処理を実行できる。
【００４７】
【発明の効果】
以上説明したように、本発明によれば、ＲＬＣ／ＭＡＣレイヤの処理モードとしてオートモードとスルーモードの２種類のモードを持ち、上位レイヤの試験時はスループットを向上させるためにオートモードに設定し、ＲＬＣ／ＭＡＣレイヤの試験時にはユーザが編集可能な返信設定処理部内にＲＬＣ／ＭＡＣの処理を記述するスルーモードに設定する。これにより、両者の試験に一台のシミュレータで対応でき、テスト対象を拡張することができる。
【００４８】
また、従来、シミュレータ内の処理部でしか取り扱えないＲＬＣ／ＭＡＣレイヤのメッセージを外部の制御端末でも取り扱うことができ、レイヤ３以上の処理だけではなく、ＲＬＣ／ＭＡＣレイヤの処理もユーザに開放して制御端末で処理することができる。これにより、事前に返信設定処理部内にＲＬＣ／ＭＡＣコントロールメッセージに対する処理内容を自由に書き込んで移動機の各種所望の試験を行うことができ、処理内容に拡張性を持たせることができる。
【００４９】
具体的に、移動機から送信されるＲＬＣ／ＭＡＣコントロールメッセージに対する処理内容を制御端末の返信設定処理部により予め編集して設定しておけば、制御端末からのモード指定コマンドの送出により、移動機の正常系の試験のみでなく、準正常系又は異常系の試験も行い、移動機を多方面から試験して性能を評価することができる。
【図面の簡単な説明】
【図１】本発明に係るＧＰＲＳ用シミュレータを含むＧＰＲＳシステムの概略構成を示すブロック図である。
【図２】（ａ），（ｂ）  本発明に係るＧＰＲＳシステムに使用されるＲＬＣ／ＭＡＣコントロールメッセージのフォーマット図である。
【図３】本発明に係るＧＰＲＳシステムにおけるオートモード時の動作シーケンスを示す図である。
【図４】本発明に係るＧＰＲＳシステムにおけるスルーモード時の動作シーケンスを示す図である。
【図５】ＧＰＲＳシステムにおける上りパケットデータ転送時の全体の流れを示す図である。
【図６】本発明に係るＧＰＲＳシステムにおいて正常系の試験を行う際の具体的な動作シーケンスの一例を示す図である。
【図７】本発明に係るＧＰＲＳシステムにおいて準正常系の試験を行う際の具体的な動作シーケンスの一例を示す図である。
【図８】本発明に係るＧＰＲＳシステムにおいて準正常系の試験を行う際の具体的な動作シーケンスの他の例を示す図である。
【図９】本発明に係るＧＰＲＳシステムにおいて異常系の試験を行う際の具体的な動作シーケンスの一例を示す図である。
【図１０】本発明に係るＧＰＲＳシステムにおいて異常系の試験を行う際の具体的な動作シーケンスの他の例を示す図である。
【図１１】ＧＰＳＲネットワークの一般的な装置の例を示す図である。
【符号の説明】
１…ＧＰＲＳシステム、２…移動機、３…シミュレータ、３ａ…第１処理部（ＰＨＹ）、３ｂ…第２処理部（ＲＬＣ／ＭＡＣ）、４…制御端末、４ａ…返信設定処理部。
【図１】
2004289395.tif 000003
【図２】
2004289395.tif 000004
【図３】
2004289395.tif 000005
【図４】
2004289395.tif 000006
【図５】
2004289395.tif 000007
【図６】
2004289395.tif 000008
【図７】
2004289395.tif 000009
【図８】
2004289395.tif 000010
【図９】
2004289395.tif 000011
【図１０】
2004289395.tif 000012
【図１１】
2004289395.tif 000013